(57)【要約】【課題】カメラを保持する状態（姿勢）によって起因する手振れを極力防止することを目的としている。【解決手段】ＥＶＦまたはＯＶＦを使用する場合、脇を閉めることができるため手振れには比較的強いが、ＬＣＤを使用する場合、腕を前に伸ばす姿勢となるため不安定となり手振れを起こしやすくため、この点を考慮して、２つのプログラム線図を用意し、ＥＶＦまたはＯＶＦを使用する場合は第一のプログラム線図を設定し、ＬＣＤを使用する場合は第二のプログラム線図を設定するように構成し、さらに第二のプログラム線図は第一のプログラム線図よりも高速側のシャッターを使用するように構成し、同様にセルフ撮影モード時にも手振れを起こしやすくなるため、他の撮影モード時よりも高速側のシャッターを使用するように構成した。【選択図】図１
2007133313.tif 000002
【特許請求の範囲】
【請求項１】
ファインダーとして使用するための少なくとも２つ以上の表示手段と、プログラム線図を切り替える手段と、少なくとも２つ以上のプログラム線図を有し、前記表示手段の使用状況により、プログラム線図を切り替えることを特徴とする撮像装置。
【請求項２】
請求項１記載の撮像装置において、表示手段はＥＶＦもしくはＯＶＦとＬＣＤであり、これらを切り替える表示切替え手段を有することを特徴とする撮像装置。
【請求項３】
請求項２記載の撮像装置において、表示手段としてＥＶＦもしくはＯＶＦを使用している場合は第１のプログラム線図を選択し、表示手段としてＬＣＤを使用している場合は第２のプログラム線図を選択することを特徴とする撮像装置。
【請求項４】
請求項３記載の撮像装置において、第２のプログラム線図は第１のプログラム線図よりも高速のシャッタースピードを使用することにより手振れを防止することを特徴とする撮像装置。
【請求項５】
請求項４記載の撮像装置において、モード切替え手段を有し、前記モード切替え手段により、手振れ防止制御を有効無効に切り替えることを特徴とする撮像装置。
【請求項６】
撮影モード選択手段と、プログラム線図を切り替える手段と、少なくとも２つ以上のプログラム線図を有し、前記撮影モード選択手段により、プログラム線図を切り替えることを特徴とする撮像装置。
【請求項７】
請求項６記載の撮像装置において、該撮影モード選択手段により、セルフ撮影モードが選択されている場合は第１のプログラム線図を選択し、それ以外のモードが選択されている場合は第２のプログラム線図を選択することを特徴とする撮像装置。
【請求項８】
請求項７記載の撮像装置において、第２のプログラム線図は第１のプログラム線図よりも高速のシャッタースピードを使用することにより手振れを防止することを特徴とする撮像装置。
【請求項９】
請求項８記載の撮像装置において、モード切替え手段を有し、前記モード切替え手段により、手振れ防止制御を有効無効に切り替えることを特徴とする撮像装置。
【請求項１０】
ファインダーとして使用するための表示手段と、プログラム線図を切り替える手段と、少なくとも２つ以上のプログラム線図を有し、前記表示手段の使用状況により、プログラム線図を切り替えることを特徴とする撮像装置。
【請求項１１】
請求項１０記載の撮像装置において、表示手段は対面式に設定可能なＬＣＤであり、前記ＬＣＤが対面式に設定された場合に、第１のプログラム線図を選択し、前記対面式以外に設定されている場合は第２のプログラム線図を選択することを特徴とする撮像装置。
【請求項１２】
請求項１１記載の撮像装置において、第１のプログラム線図は第２のプログラム線図よりも高速のシャッタースピードを使用することにより手振れを防止することを特徴とする撮像装置。
【請求項１３】
請求項１２記載の撮像装置において、モード切替え手段を有し、前記モード切替え手段により、手振れ防止制御を有効無効に切り替えることを特徴とする撮像装置。
【発明の詳細な説明】
【技術分野】
【０００１】
本発明はカメラを使用した手振れ撮影を防止するための撮像装置に関するものである。
【背景技術】
【０００２】
従来例における撮像装置の回路ブロック例を図９に示す。図中１は光を電気信号に変換する光電変換素子（ここではＣＣＤを例に取る）、２はＣＣＤの出力信号を映像信号に変換するための相関二重サンプリング回路（以下ＣＤＳ）、３はＣＤＳ出力のアナログ信号をデジタル信号に変換するためのアナログデジタル変換回路（以下ＡＤ）、４は色信号処理、輝度信号処理など各種信号処理を行うデジタル信号処理回路（以下ＤＳＰ）、５はＣＣＤの水平転送部を駆動するためのＣＣＤ水平転送駆動回路（以下ＨＤｒ）、６はＣＣＤの垂直転送部を駆動するためのＣＣＤ垂直転送駆動回路（以下ＶＤｒ）、７は基準同期信号を入力し、この基準信号によりＣＣＤの駆動および信号処理に必要な各種パルスを生成するタイミングジェネレータ（以下ＴＧ）、８はシステム全体を制御するＣＰＵ、９はフォーカス用レンズを駆動するためのレンズ駆動回路、１０はフォーカス用レンズ、１１はフォーカスレンズの位置を検出するレンズ位置検出回路、１２は絞りとシャッターを駆動するための絞り駆動回路、１３はＣＣＤへの入射光量を制御するとともに露光時間を制御するための絞り兼シャッター、１４は２段階ストロークで構成されるレリーズスイッチ、１５は水晶発振回路を有し、メインクロックおよび水平同期信号（以下ＨＤ）と垂直同期信号（以下ＶＤ）を発生し、８のＣＰＵおよび７のＴＧを動作させるための基準信号発生回路、１６は内蔵ストロボである。１６のストロボは１４のレリーズスイッチをトリガーとしてストロボ光を被写体に照射し、ストロボに同期したＣＣＤ信号を画像として取り込むようになっている。
【０００３】
１７はファインダーをＥＶＦ表示（またはＯＶＦ表示）にするかＬＣＤ表示にするかを選択するための表示モード切替えスイッチ、１８は画像データを保存するメモリ（以下ＲＡＭ）、１９は表示装置を駆動するためのＬＣＤドライバー回路（以下ＬＣＤＤｒ）、２０は被写体像をモニターするための表示装置（ここでは液晶表示装置とし、以下ＬＣＤ）、２１は被写体像をモニターするための表示装置（ここでは液晶表示装置とし、以下ＥＶＦ、光学的に被写体像をモニターするＯＶＦであってもよい）である。
【０００４】
次に上述した回路ブロックの動作を説明する。被写体像は１０の撮影レンズを通し、１３の絞りにより光量を調節され、１のＣＣＤに結像する。１のＣＣＤでは光電変換により被写体像を電気信号へ変換し、この信号をＣＣＤ信号として２のＣＤＳへ出力する。１５の基準信号発生回路で生成されるメインクロック、ＨＤ、ＶＤは７のＴＧへ出力され、これらの信号を基準に７のＴＧではＣＣＤ水平転送パルス、ＣＣＤ垂直転送パルス、ＣＣＤフィールドシフトパルス、電子シャッターパルス、ＯＢクランプパルスを生成する。
【０００５】
そしてＣＣＤ水平転送用パルスは５のＨＤｒへ、ＣＣＤ垂直転送用パルス、ＣＣＤフィールドシフトパルスおよび電子シャッターパルスは６のＶＤｒへ、ＯＢクランプパルスは２のＣＤＳへ夫々出力される。
【０００６】
６のＶＤｒでは７のＴＧから出力されるＣＣＤ垂直転送用パルスおよびＣＣＤフィールドシフトパルスを入力し、これらを組み合わせ、ＣＣＤの垂直転送部を十分に駆動できる信号振幅、周波数特性を保持した３値（Ｈ（高電位），Ｍ（中電位），Ｌ（低電位）レベル）の信号に変換し、ＣＣＤの垂直転送駆動部へ出力する。１のＣＣＤではこれらの信号を受け、フィールドシフトパルスに相当する“Ｈ”レベルの信号を入力した時に、ＣＣＤのフォトダイオードに蓄積された電荷を垂直転送部へ出力する。垂直転送部へ出力された電荷はＣＣＤ垂直転送パルスの４相２値（Ｍ、Ｌレベル）駆動により垂直転送路上を順序正しく水平転送路へと転送される。
【０００７】
また電子シャッターパルスは６のＶＤｒでＣＣＤを十分に駆動できる信号振幅に変換された後ＣＣＤへ出力され、ＣＣＤでの電荷蓄積時間（露光量）を制御する。ＣＣＤは電子シャッターパルスを入力している期間はフォトダイオードの電荷をクリアーし続け、電子シャッターパルスが停止した直後から、露光状態となる。
【０００８】
５のＨＤｒでは７のＴＧから出力されるＣＣＤ水平転送用パルスを入力し、１のＣＣＤの水平転送部を十分に駆動できる信号振幅、周波数特性を保持した信号に変換し、ＣＣＤの水平転送部へ出力する。リセットゲートパルスは７のＴＧから直接１のＣＣＤへ出力され、１のＣＣＤの出力ゲート部を一定電位に固定して電荷電位変換を行う。１のＣＣＤではこれら水平転送パルスおよびリセットゲートパルス信号を入力することにより、電荷を水平転送部から出力アンプを通して、ＣＣＤ信号として２のＣＤＳへ出力する。
【０００９】
２のＣＤＳではＣＣＤ信号を入力し、ＣＣＤ信号のフィードスルー部（基準部）とデータ部とのレベル差を取得し、これを映像信号に変換する。これによりＣＣＤ信号に含まれる低周波雑音を除去し、可変利得増幅機能により所望の感度が得られるように映像信号を増幅する。そしてこの信号の基準部（ＣＣＤ内の遮光されたフォトダイオード部分（以下ＯＢ部と呼ぶ）、フォトダイオードが形成されずダミー信号部分を基準部とみなす場合もある）を新たな直流バイアスに変換し直し（直流再生、以後クランプと呼ぶ）、３のＡＤへ出力する。
【００１０】
３のＡＤではＣＤＳ出力の映像信号を入力し、この信号をアナログ信号からデジタル信号（例えば１０ビット信号）へと変換し４のＤＳＰへ出力する。３のＡＤの出力は上述したＯＢ部が常に一定の値（例えばフルレンジ１０２４ＬＳＢ中の３２ＬＳＢ）に固定されるように設定される。従って映像信号は３２から１０２３ＬＳＢのなかで表現されることになる。
【００１１】
４のＤＳＰではデジタルに変換された映像信号を入力し、信号処理により輝度信号および色信号を再生する。また映像信号を利用して露出制御を行うための基準信号、ホワイトバランス制御を行うための基準信号、フォーカス制御を行うための基準信号を生成する。４のＤＳＰで処理された画像データは１８のＲＡＭに一時的に蓄積される。このデータを２０のＬＣＤまたは２１のＥＶＦヘ表示するためのデータに変換（一般的にＲ，Ｇ，ＢまたはＹ，ＲＹ，ＢＹなどの形式）し、１９のＬＣＤＤｒへ出力する。１９のＬＣＤＤｒでは２０のＬＣＤまたは２１のＥＶＦに合致したデータへの変換（一般的にＲ，Ｇ，Ｂ）を行うと共に、２０のＬＣＤまたは２１のＥＶＦを最適に駆動できる信号振幅に変換し、１７の表示モード切替えスイッチで選択された表示装置へこの信号を出力する。
【００１２】
そして１４のレリーズスイッチを１段階押下することにより、フォーカス制御および露出制御を行い、ファインダーにおいてピントおよび露出が適正にあった被写体像をモニターすることにより構図を決める。
【００１３】
図３に示すフローチャート３を用いてカメラでの撮影手順を説明する。まずユーザーは図示しないカメラの電源スイッチを投入し、（３−２）において１７の表示モード切替えスイッチにより、構図を決めるためのファインダーを２０のＬＣＤにするか、または２１のＥＶＦ（ＯＶＦでもよい）にするかを選択する。（３−３）では２段階ストロークで構成されるシャッターボタンの状態を検出する。
【００１４】
シャッターボタンが１段階押下（以下ＳＷ１がＯＮ）されるとカメラは撮影準備動作（予備露光）を行う（３−４）。ここでは被写体の輝度値を測光し、露出量を適正となるように絞りと電子シャッタースピードを制御する。
【００１５】
すなわち１のＣＣＤから映像信号を読み出し、４のＤＳＰで得られる露光制御のための基準信号（以下ＡＥ値）を取得する。このＡＥ値をあらかじめ決められた所定値になるように、絞りとシャッタースピードを決定する。ＡＰＥＸ方式の表示においてカメラの感度をＳｖ、被写体輝度をＢｖ，シャッタースピードをＴｖ、絞りをＡｖで表すと、Ｓｖ＋Ｂｖ＝Ｅｖ＝Ｔｖ＋Ａｖが成り立つ。この組み合わせでは一元的にシャッタースピードと絞りの値を決められないため、カメラ内には図６−２のようなプログラム線図が一つ用意されていて、被写体輝度が決まると、このプログラム線図に従ってシャッタースピードと絞りの値が求まるようになっている。
【００１６】
またＤＳＰでは同時に合焦制御のための評価値を取得し、この評価値をあらかじめ決められた値（以下合焦レベル）内にいれるようにフォーカスレンズの移動を行う。
【００１７】
ＤＳＰ内部のフォーカス制御にかかわる部分は図１０に示すように構成されている。
【００１８】
映像信号として生成された信号は１のフォーカス制御のための評価領域指定および抽出回路２３へ入力される。距離情報領域として撮影領域の中から特定領域または中央部分を切り出し、この領域の映像信号を抽出する。次の評価値演算回路２４では設定された領域内の信号に対して、高周波成分抽出回路（高域通過フィルター）２５を通し高周波成分を抽出するとともにその絶対値をとり、この結果を積算回路２６において距離情報検出領域内で積算する。この値を評価値と規定する。
【００１９】
フォーカスレンズを至近端から無限遠端まで移動させると、ある位置で被写体に合焦しシャープな被写体像を得ることができる。このときの映像信号におけるフォーカス評価値は最大値となる。
【００２０】
そして被写体からフォーカス位置が離れるに従い評価値は減少していく。ＣＰＵではフォーカスレンズの移動量と評価値との関係を記憶し、評価値の最大値が得られると、その評価値に対応付けされる位置へフォーカスレンズを移動し合焦した画像を得る。評価値を合焦レベル内にいれることにより、鮮明な被写体像を取得することができる。これによりユーザーはＥＶＦまたはＬＣＤファインダーにおいてピントおよび露出が適正にあった被写体像をモニターすることにより構図を決めることができる。
【００２１】
図８−１にユーザーがＥＶＦファインダー（またはＯＶＦファインダー）をモニターして構図を決めている姿を、図８−２にＬＣＤファインダーをモニターして構図を決めている姿を示した。図からわかるようにＬＣＤファインダーを使用する場合は、カメラを保持したまま両腕または片腕を顔の前に差し出す姿勢になる。一方ＥＶＦ（またはＯＶＦ）ファインダーを使用する場合は、カメラが顔の前に位置するため、腕を伸ばす必要はなく、脇を絞めることができ、自然な姿勢でカメラを保持することができる。
【００２２】
次に２段階ストロークのシャッターボタンの状態を検出して、本撮影動作を行うかを判断する（３−５）。シャッターボタンを２段階押下（以下ＳＷ２がＯＮ）すると（３−６）、カメラは本撮影動作（本露光）へ移行する（３−７）。カメラはＳＷ２をＯＮした瞬間のＣＣＤ信号を取り込み、この信号に対して各種信号処理を施し画像ファイルを生成する。これにより撮影が終了する（３−８）。
【００２３】
（３−６）においてＳＷ２がＯＮされない場合は（５−１）へ移行する。そしてここでＳＷ１の状態を検出する。ＳＷ１がＯＮの状態を保っているときは、ＳＷ２の状態検出待ちへ戻り（３−６）、ＳＷ１がＯＦＦとなった場合は、ＳＷ１の状態検出待ちへ戻る（３−４）。
【特許文献１】特開２００４−１９１８８５号公報
【発明の開示】
【発明が解決しようとする課題】
【００２４】
しかしながら、上記従来例においてはＥＶＦファインダーを使用する場合とＬＣＤファインダーを使用する場合では、ユーザーによるカメラのホールド状態が異なり、ＬＣＤファインダーを使用する場合には、手を体の前に伸ばす体勢になるため、ＥＶＦファインダーを使用するときよりも手振れを起こしやすいという問題があった。
【００２５】
この発明では上記問題点に鑑み、
１．複雑な機構を設けることなく、容易に従来のデジタルカメラに適用でき、
２．ＬＣＤ使用時に起きる手振れを極力低減でき、
３．セルフ撮影時のように手振れを起こしやすい状態のときにも適応できる
ことを目的としている。
【課題を解決するための手段】
【００２６】
（１）ファインダーとして使用するための少なくとも２つ以上の表示手段と、プログラム線図を切り替える手段と、少なくとも２つ以上のプログラム線図を有し、前記表示手段の使用状況により、プログラム線図を切り替えることを特徴とする撮像装置。
【００２７】
（２）前記（１）記載の撮像装置において、表示手段はＥＶＦもしくはＯＶＦとＬＣＤであり、これらを切り替える表示切替え手段を有することを特徴とする撮像装置。
【００２８】
（３）前記（２）記載の撮像装置において、表示手段としてＥＶＦもしくはＯＶＦを使用している場合は第１のプログラム線図を選択し、表示手段としてＬＣＤを使用している場合は第２のプログラム線図を選択することを特徴とする撮像装置。
【００２９】
（４）前記（３）記載の撮像装置において、第２のプログラム線図は第１のプログラム線図よりも高速のシャッタースピードを使用することにより手振れを防止することを特徴とする撮像装置。
【００３０】
（５）前記（４）記載の撮像装置において、モード切替え手段を有し、前記モード切替え手段により、手振れ防止制御を有効無効に切り替えることを特徴とする撮像装置。
【００３１】
（６）撮影モード選択手段と、プログラム線図を切り替える手段と、少なくとも２つ以上のプログラム線図を有し、前記撮影モード選択手段により、プログラム線図を切り替えることを特徴とする撮像装置。
【００３２】
（７）前記（６）記載の撮像装置において、該撮影モード選択手段により、セルフ撮影モードが選択されている場合は第１のプログラム線図を選択し、それ以外のモードが選択されている場合は第２のプログラム線図を選択することを特徴とする撮像装置。
【００３３】
（８）前記（７）記載の撮像装置において、第２のプログラム線図は第１のプログラム線図よりも高速のシャッタースピードを使用することにより手振れを防止することを特徴とする撮像装置。
【００３４】
（９）前記（８）記載の撮像装置において、モード切替え手段を有し、前記モード切替え手段により、手振れ防止制御を有効無効に切り替えることを特徴とする撮像装置。
【００３５】
（１０）ファインダーとして使用するための表示手段と、プログラム線図を切り替える手段と、少なくとも２つ以上のプログラム線図を有し、前記表示手段の使用状況により、プログラム線図を切り替えることを特徴とする撮像装置。
【００３６】
（１１）前記（１０）記載の撮像装置において、表示手段は対面式に設定可能なＬＣＤであり、前記ＬＣＤが対面式に設定された場合に、第１のプログラム線図を選択し、前記対面式以外に設定されている場合は第２のプログラム線図を選択することを特徴とする撮像装置。
【００３７】
（１２）前記（１１）記載の撮像装置において、第１のプログラム線図は第２のプログラム線図よりも高速のシャッタースピードを使用することにより手振れを防止することを特徴とする撮像装置。
【００３８】
（１３）前記（１２）記載の撮像装置において、モード切替え手段を有し、前記モード切替え手段により、手振れ防止制御を有効無効に切り替えることを特徴とする撮像装置。
【発明の効果】
【００３９】
本発明によれば、
１．カメラのホールド状態を考慮し、撮影時のシャッター速度を変更することにより、手振れを極力防止することができる。
【００４０】
２．手振れ防止制御スイッチにより制御を切り替えられるため、ユーザーの意思により手振れ防止制御を行うか行わないかを選択することができる。
【００４１】
３．対面式のＬＣＤ表示装置を使用している場合は、カメラのホールド状態が好ましくないと判断し、自動的に手振れ防止制御に切り替えることができる。
【発明を実施するための最良の形態】
【００４２】
以下本発明を実施するための最良の形態を、実施例により詳しく説明する。
【実施例】
【００４３】
（第一の実施例）
第一の実施例における撮像装置の回路ブロック例を図９に示す。図中１は光を電気信号に変換する光電変換素子（ここではＣＣＤを例に取る）、２はＣＣＤの出力信号を映像信号に変換するための相関二重サンプリング回路（以下ＣＤＳ）、３はＣＤＳ出力のアナログ信号をデジタル信号に変換するためのアナログデジタル変換回路（以下ＡＤ）、４は色信号処理、輝度信号処理など各種信号処理を行うデジタル信号処理回路（以下ＤＳＰ）、５はＣＣＤの水平転送部を駆動するためのＣＣＤ水平転送駆動回路（以下ＨＤｒ）、６はＣＣＤの垂直転送部を駆動するためのＣＣＤ垂直転送駆動回路（以下ＶＤｒ）、７は基準同期信号を入力し、この基準信号によりＣＣＤの駆動および信号処理に必要な各種パルスを生成するタイミングジェネレータ（以下ＴＧ）、８はシステム全体を制御するＣＰＵ、９はフォーカス用レンズを駆動するためのレンズ駆動回路、１０はフォーカス用レンズ、１１はフォーカスレンズの位置を検出するレンズ位置検出回路、１２は絞りとシャッターを駆動するための絞り駆動回路、１３はＣＣＤへの入射光量を制御するとともに露光時間を制御するための絞り兼シャッター、１４は２段階ストロークで構成されるレリーズスイッチ、１５は水晶発振回路を有し、メインクロックおよび水平同期信号（以下ＨＤ）と垂直同期信号（以下ＶＤ）を発生し、８のＣＰＵおよび７のＴＧを動作させるための基準信号発生回路、１６は内蔵ストロボである。
【００４４】
１６のストロボは１４のレリーズスイッチをトリガーとしてストロボ光を被写体に照射し、ストロボに同期したＣＣＤ信号を画像として取り込むようになっている。１７はファインダーをＥＶＦ表示（またはＯＶＦ表示）にするかＬＣＤ表示にするかを選択するための表示モード切替えスイッチ、１８は画像データを保存するメモリ（以下ＲＡＭ）、１９は表示装置を駆動するためのＬＣＤドライバー回路（以下ＬＣＤＤｒ）、２０は被写体像をモニターするための表示装置（ここでは液晶表示装置とし、以下ＬＣＤ）、２１は被写体像をモニターするための表示装置（ここでは液晶表示装置とし、以下ＥＶＦ、光学的に被写体像をモニターするＯＶＦであってもよい）である。２２は本発明である手振れ防止制御を行うか行わないかをユーザーが任意に選択するための手振れ防止制御スイッチである。
【００４５】
次に上述した回路ブロックの動作を説明する。被写体像は１０の撮影レンズを通し、１３の絞りにより光量を調節され、１のＣＣＤに結像する。１のＣＣＤでは光電変換により被写体像を電気信号へ変換し、ＣＣＤ信号として２のＣＤＳへ出力する。１５の基準信号発生回路で生成されるメインクロック、ＨＤ、ＶＤは７のＴＧへ出力され、これらの信号を基準に７のＴＧではＣＣＤ水平転送パルス、ＣＣＤ垂直転送パルス、ＣＣＤフィールドシフトパルス、電子シャッターパルス、ＯＢクランプパルスを生成する。
【００４６】
そしてＣＣＤ水平転送用パルスは５のＨＤｒへ、ＣＣＤ垂直転送用パルス、ＣＣＤフィールドシフトパルスおよび電子シャッターパルスは６のＶＤｒへ、ＯＢクランプパルスは２のＣＤＳへ夫々出力される。
【００４７】
６のＶＤｒでは７のＴＧから出力されるＣＣＤ垂直転送用パルスおよびＣＣＤフィールドシフトパルスを入力し、これらを組み合わせ、ＣＣＤの垂直転送部を十分に駆動できる信号振幅、周波数特性を保持した３値（Ｈ（高電位），Ｍ（中電位），Ｌ（低電位）レベル）の信号に変換し、ＣＣＤの垂直転送駆動部へ出力する。
【００４８】
１のＣＣＤではこれらの信号を受け、フィールドシフトパルスに相当する“Ｈ”レベルの信号を入力した時に、ＣＣＤのフォトダイオードに蓄積された電荷を垂直転送部へ出力する。垂直転送部へ出力された電荷はＣＣＤ垂直転送パルスの４相２値（Ｍ、Ｌレベル）駆動により垂直転送路上を順序正しく水平転送路へと転送される。
【００４９】
また電子シャッターパルスは６のＶＤｒで１のＣＣＤを十分に駆動できる信号振幅に変換された後ＣＣＤへ出力され、ＣＣＤでの電荷蓄積時間（露光量）を制御する。１のＣＣＤは電子シャッターパルスを入力している期間はフォトダイオードの電荷をクリアーし続け、電子シャッターパルスが停止した直後から露光状態となる。５のＨＤｒでは７のＴＧから出力されるＣＣＤ水平転送用パルスを入力し、ＣＣＤの水平転送部を十分に駆動できる信号振幅、周波数特性を保持した信号に変換し、ＣＣＤの水平転送部へ出力する。リセットゲートパルスは７のＴＧから直接ＣＣＤへ出力され、ＣＣＤの出力ゲート部を一定電位に固定して電荷電位変換を行う。ＣＣＤではこれら水平転送パルスおよびリセットゲートパルス信号を入力することにより、電荷を水平転送部から出力アンプを通して、被写体像をＣＣＤ信号として２のＣＤＳへ出力する。
【００５０】
２のＣＤＳではＣＣＤ信号（図７のα）を入力し、ＣＣＤ出力信号のフィードスルー部（基準部、図７のａ）とデータ部（図７のｂ）とのレベル差から映像信号（図７のβ）を生成する。この過程でＣＣＤ信号に含まれる低周波雑音を除去することができる。そしてこの信号の基準部（ＣＣＤ内の遮光されたフォトダイオード部分（以下ＯＢ部と呼ぶ）、フォトダイオードが形成されずダミー信号部分を基準部とみなす場合もある、図７のｃ）を新たな直流バイアスに設定し直し（直流再生、以後クランプと呼ぶ）、可変利得増幅機能により所望の感度が得られるように映像信号を増幅し、３のＡＤへ出力する。
【００５１】
３のＡＤではＣＤＳ出力の映像信号を入力し、この信号をアナログ信号からデジタル信号（例えば１０ビット信号）へと変換し４のＤＳＰへ出力する。３のＡＤの出力は上述したＯＢ部が常に一定の値（例えばフルレンジ１０２４ＬＳＢ中の３２ＬＳＢ）に固定されるように設定される。従って映像信号は３２から１０２３ＬＳＢのなかで表現されることになる。
【００５２】
４のＤＳＰではデジタルに変換された映像信号を入力し、信号処理により輝度信号および色信号を再生する。また映像信号を利用して露出制御を行うための基準信号、ホワイトバランス制御を行うための基準信号、フォーカス制御を行うための基準信号を生成する。
【００５３】
４のＤＳＰで処理された画像データは１８のＲＡＭに一時的に蓄積される。このデータを２０のＬＣＤまたは２１のＥＶＦヘ表示するためのデータに変換（一般的にＲ，Ｇ，ＢまたはＹ，ＲＹ，ＢＹなどの形式）し、１９のＬＣＤＤｒへ出力する。１９のＬＣＤＤｒでは２０のＬＣＤまたは２１のＥＶＦに合致したデータへの変換（一般的にＲ，Ｇ，Ｂ）を行うと共に、２０のＬＣＤまたは２１のＥＶＦを最適に駆動できる信号振幅に変換し、１７の表示モード切替えスイッチで選択された表示装置へこの信号を出力する。
【００５４】
そして１４のレリーズスイッチを１段階押下することにより、フォーカス制御および露出制御を行うことにより、ファインダーにおいてピントおよび露出が適正にあった被写体像をモニターし構図を決める。
【００５５】
図１に示すフローチャート１を用いてカメラでの撮影手順を説明する。まずユーザーは図示しないカメラの電源スイッチを投入し、１７の表示モード切替えスイッチにより、構図を決めるために使用するファインダーをＬＣＤにするか、またはＥＶＦ（ＯＶＦでもよい）にするかを選択する（１−２）。さらに２２の手振れ防止スイッチにより、手振れ防止制御を行うか行わないかを選択する（１−３）。そして２段階ストロークで構成されるシャッターボタンの状態を検出する（１−４）。
【００５６】
ＳＷ１がＯＮするとカメラは撮影準備動作（予備露光）を行う（１−５）。ここでは被写体の輝度値を測光し、露出量が適正となるように絞りと電子シャッタースピードを制御する。すなわちＣＣＤから映像信号を読み出し、ＤＳＰで得られる露光制御のための基準信号（以下ＡＥ値）を取得する。
【００５７】
このＡＥ値をあらかじめ決められた所定値になるように、絞りとシャッタースピードを決定する。ＡＰＥＸ方式の表示においてカメラの感度をＳｖ、被写体輝度をＢｖ，シャッタースピードをＴｖ、絞りをＡｖで表すと、Ｓｖ＋Ｂｖ＝Ｅｖ＝Ｔｖ＋Ａｖが成り立つ。
【００５８】
本実施例ではカメラ内に図６−１と図６−２のようなプログラム線図が２つ用意されていて、被写体輝度が決まると、これらのプログラム線図に従ってシャッタースピードと絞りの値が求まるようになっている。
【００５９】
またＤＳＰでは同時に合焦制御のための評価値を取得し、この評価値をあらかじめ決められた値（以下合焦レベル）内にいれるようにフォーカスレンズの移動を行う。ＤＳＰ内部のフォーカス制御にかかわる部分は図１０に示すように構成されている。
【００６０】
映像信号は１のフォーカス制御のための評価領域指定および抽出回路２３へ出力される。距離情報領域として撮影領域の中から特定（複数）領域または中央部分を切り出し、この領域の映像信号を抽出する。
【００６１】
次の評価値演算回路２４では設定された領域内の信号に対して、高周波成分抽出回路（高域通過フィルター）２５を通し高周波成分を抽出するとともにその絶対値をとり、この結果を積算回路２６において距離情報検出領域内で積算する。この値を評価値と規定する。フォーカスレンズを至近端から無限遠端まで移動させると、ある位置で被写体に合焦しシャープな被写体像を得ることができる。
【００６２】
このときの映像信号におけるフォーカス評価値は最大値となる。そして被写体からフォーカス位置が離れるに従い評価値は減少していく。ＣＰＵではフォーカスレンズの移動量と評価値との関係を記憶し、評価値の最大値が得られると、その評価値に対応付けされる位置へフォーカスレンズを移動し合焦した画像を得る。評価値を合焦レベル内にいれることにより、鮮明な被写体像を取得することができる。
【００６３】
これによりユーザーはＥＶＦまたはＬＣＤファインダーにおいてピントおよび露出が適正にあった被写体像をモニターすることができ、構図を容易に決めることができる。
【００６４】
図８−１にユーザーがＥＶＦファインダー（またはＯＶＦファインダー）をモニターして構図を決めている姿を、図８−２にＬＣＤファインダーをモニターして構図を決めている姿を表した。図からわかるようにＬＣＤファインダーを使用する場合は、カメラを保持したまま両腕または片腕を顔の前に差し出す姿勢になる。一方ＥＶＦ（またはＯＶＦ）ファインダーを使用する場合は、カメラが顔前に位置するため、腕を伸ばす必要はなく、脇を絞めた自然な姿勢でカメラを保持することができる。
【００６５】
次に２段階ストロークで構成されるシャッターボタンの状態を検出して、本撮影動作を行うか否かを判断する（１−６）。ＳＷ２がＯＮすると、（１−３）において手振れ防止制御が選択されている場合は（１−７）へ、手振れ防止制御が選択されていない場合は（１−１０）へ移行する。そして（１−２）においてＬＣＤ表示が選択されている場合は（１−９）へ、ＥＶＦ表示（またはＯＶＦ表示）が選択されている場合は（１−１０）へ移行する。
【００６６】
（１−９）においては図６−１に示すような第１のプログラム線図が用意されており、この線図を使用し、予備露光時に取得した被写体輝度情報を基に、シャッタースピードと絞り値が一元的に決定される。
【００６７】
（１−１０）においては図６−２に示すような第２のプログラム線図が用意されており、この線図を使用し、予備露光時に取得した被写体輝度情報を基に、シャッタースピードと絞り値が一元的に決定される。すなわちＬＣＤ表示を使用している場合とＥＶＦ（またはＯＶＦ）表示を使用している場合で、異なるプログラム線図を用意し、ＬＣＤ表示が選択されている場合はＥＶＦ（またはＯＶＦ）表示において使用するシャッター速度よりも高速側のシャッター速度を優先的に使用することになる。
【００６８】
カメラは（１−９）または（１−１０）で選択した最適なシャッタースピードと絞りを使用して被写体を撮影し（１−１１）、ＣＣＤで取得したデータに対して各種信号処理を施し画像ファイルを生成する。これにより撮影が終了する（１−１２）。
【００６９】
（１−６）においてＳＷ２がＯＮされない場合は（５−１）へ移行する。そしてここでＳＷ１の状態を検出する。ＳＷ１がＯＮの状態を保っているときは、ＳＷ２の状態検出待ちへ戻り（１−６）、ＳＷ１がＯＦＦとなった場合は、ＳＷ１の状態検出待ちへ戻る（１−４）。
【００７０】
最後に図６−１および図６−２に示すプログラム線図について詳細する。図６−２は手振れ防止制御を行わないときに使用するプログラム線図である。Ｅｖ６からＥｖ１１までの被写体輝度では絞りをＦ２．８（Ａｖ３）に固定し、輝度に応じてシャッタースピードを可変させ適正露出を得る。そしてＥｖ１１からＥｖ１４までの被写体輝度ではシャッタースピードをＴ１／２５６（Ｔｖ８）に固定し、輝度に応じて絞りを可変させ適正露出を得る。さらにＥｖ１４からＥｖ１６までの被写体輝度では絞りをＦ８（Ａｖ６）に固定し、輝度に応じてシャッタースピードを可変させ適正露出を得るように設定されている。
【００７１】
一方、図６−１は手振れ防止時に使用するプログラム線図であり、Ｅｖ６からＥｖ１３までの被写体輝度では絞りをＦ２．８（Ａｖ３）に固定し、輝度に応じてシャッタースピードを可変させ適正露出を得る。またＥｖ１３からＥｖ１６までの被写体輝度ではシャッタースピードをＴ１／１０２４（Ｔｖ１０）に固定し、輝度に応じて絞りを可変させ適正露出を得るように設定されている。ここで被写体輝度Ｂｖが９、カメラ感度Ｓｖが５の状態、すなわちＢｖ＋Ｓｖ＝Ｅｖ＝１４の場合を例にとる。
【００７２】
図６−２の手振れ防止制御を行わないときに使用するプログラム線図では、Ｅｖ１４の場合、シャッタースピードをＴ１／２５６（Ｔｖ８）に絞りをＦ８（Ａｖ６）に設定する。一方図６−１の手振れ防止時に使用するプログラム線図では、Ｅｖ１４の場合、シャッタースピードをＴ１／１０２４（Ｔｖ１０）に絞りをＦ４（Ａｖ４）に設定する。従ってＥｖ１１よりも被写体が明るければ、手振れ防止制御を行うプログラム線図のほうが４倍速いシャッタースピードを使用することになり、手振れを起こしにくくなる。
【００７３】
（第二の実施例）
第二の実施例における撮像装置の回路ブロック例は第一の実施例における回路ブロック例とほぼ同じであるため詳細な説明は省略する。異なる点は１７の表示モード切替えスイッチがセルフ撮影モード選択スイッチになったことである。このスイッチは第一の実施例で説明した表示モード切替えスイッチに、さらに接点を付け加え、同一のスイッチとして使用してもよい。
【００７４】
また、対面式のＬＣＤが用意されている場合は、このＬＣＤが対面用にセットされている（図８−３）ことをセルフ撮影モードと認識しても良い。セルフ撮影モードとは主にユーザーがユーザー自身を撮影する場合に使用するモードである。
【００７５】
第一の実施例で説明したが、図８−１にユーザーがＥＶＦファインダー（またはＯＶＦファインダー）をモニターして構図を決め撮影している姿を、図８−２にＬＣＤファインダーをモニターして構図を決め撮影している姿を、そして図８−３にセルフ撮影している姿を表した。図からわかるようにセルフ撮影している場合は、被写体（撮影者）とカメラとの距離を確保するため、ＬＣＤ表示を使用して撮影する場合よりも、両腕または片腕を伸ばして顔の前に差し出す姿勢になる。従って手振れをさらに起こしやすくなる。
【００７６】
次に図２に示すフローチャート２を用いてカメラでの撮影手順を説明する。まずユーザーは図示しないカメラの電源スイッチを投入し、１７のセルフ撮影モード選択スイッチにより、セルフ撮影を行うか否かを選択する（２−２）。第一の実施例とは異なり、このとき構図を決めるために使用するファインダーは対面式になるＬＣＤを用いるか、対面式のＬＣＤを用意していない場合は、ファインダーを使用することはできないので、ＬＣＤまたはＥＶＦの回路ブロックには電源を投入しなくてもよい。
【００７７】
さらに２２の手振れ防止スイッチにより、手振れ防止制御を行うか行わないかを選択する（２−３）。そして２段階ストロークで構成されるシャッターボタンの状態を検出する（２−４）。シャッターボタンが１段階押下（以下ＳＷ１がＯＮ）されるとカメラは撮影準備動作（予備露光）を行う（２−５）。ここでは被写体の輝度値を測光し、露出量が適正となるように絞りと電子シャッタースピードを制御する。
【００７８】
すなわちＣＣＤから映像信号を読み出し、ＤＳＰで得られる露光制御のための基準信号（以下ＡＥ値）を取得する。このＡＥ値をあらかじめ決められた所定値になるように、絞りとシャッタースピードを決定する。
【００７９】
ＡＰＥＸ方式の表示においてカメラの感度をＳｖ、被写体輝度をＢｖ，シャッタースピードをＴｖ、絞りをＡｖで表すと、Ｓｖ＋Ｂｖ＝Ｅｖ＝Ｔｖ＋Ａｖが成り立つ。本実施例ではカメラ内に図６−１と図６−２のようなプログラム線図が２つ用意されていて、被写体輝度が決まると、これらのプログラム線図に従ってシャッタースピードと絞りの値が求まるようになっている。
【００８０】
またＤＳＰでは同時に合焦制御のための評価値を取得し、この評価値をあらかじめ決められた値（以下合焦レベル）内にいれるようにフォーカスレンズの移動を行う。ＤＳＰ内部のフォーカス制御にかかわる部分は図１０に示すように構成されている。
【００８１】
映像信号は１のフォーカス制御のための評価領域指定および抽出回路２３へ出力される。距離情報領域として撮影領域の中から特定（複数）領域または中央部分を切り出し、この領域の映像信号を抽出する。
【００８２】
次の評価値演算回路２４では設定された領域内の信号に対して、高周波成分抽出回路（高域通過フィルター）２５を通し高周波成分を抽出するとともにその絶対値をとり、この結果を積算回路２６において距離情報検出領域内で積算する。この値を評価値と規定する。フォーカスレンズを至近端から無限遠端まで移動させると、ある位置で被写体に合焦しシャープな被写体像を得ることができる。このときの映像信号におけるフォーカス評価値は最大値となる。
【００８３】
そして被写体からフォーカス位置が離れるに従い評価値は減少していく。ＣＰＵではフォーカスレンズの移動量と評価値との関係を記憶し、評価値の最大値が得られると、その評価値に対応付けされる位置へフォーカスレンズを移動し合焦した画像を得る。評価値を合焦レベル内にいれることにより、鮮明な被写体像を取得することができる。これによりユーザーは対面式のＬＣＤファインダーにおいてピントおよび露出が適正にあった被写体像をモニターすることができ、構図を容易に決めることができる。
【００８４】
図８−３に対面式のＬＣＤファインダーをモニターして構図を決めている姿を表した。図からわかるようにセルフ撮影をする場合は、カメラを保持したまま両腕または片腕を伸ばし顔の前に差し出す姿勢になる。従って第一の実施例で説明したＬＣＤ表示装置をファインダーとして使用する場合よりも、手振れを起こしやすい姿勢でカメラを保持することになる。
【００８５】
次に２段階ストロークで構成されるシャッターボタンの状態を検出して、本撮影動作を行うか否かを判断する（２−６）。ＳＷ２がＯＮすると、（２−３）において手振れ防止制御が選択されている場合は（２−７）へ、手振れ防止制御が選択されていない場合は（２−１０）へ移行する。そして（２−２）においてＬＣＤ表示が選択されている場合は（２−９）へ、ＥＶＦ表示（またはＯＶＦ表示）が選択されている場合は（２−１０）へ移行する。
【００８６】
（２−９）においては図６−１に示すような第１のプログラム線図が用意されており、この線図を使用し、予備露光時に取得したＡＥ情報を基に、シャッタースピードと絞り値が決定される。
【００８７】
（２−１０）においては図６−２に示すような第２のプログラム線図が用意されており、この線図を使用し、予備露光時に取得したＡＥ情報を基に、シャッタースピードと絞り値が決定される。すなわちセルフ撮影モードで撮影する場合とその他のモードで撮影する場合で、異なるプログラム線図を用意し、セルフ撮影モードが選択されている場合はその他のモードおいて使用するシャッター速度よりも高速側のシャッター速度を優先的に使用することになる。
【００８８】
カメラは（２−９）または（２−１０）で選択した最適なシャッタースピードと絞りを使用して被写体を撮影し（２−１１）、ＣＣＤで取得したデータに対して各種信号処理を施し画像ファイルを生成する。これにより撮影が終了する（２−１２）。
【００８９】
（２−６）においてＳＷ２がＯＮされない場合は（５−１）へ移行する。そしてここでＳＷ１の状態を検出する。ＳＷ１がＯＮの状態を保っているときは、ＳＷ２の状態検出待ちへ戻り（２−６）、ＳＷ１がＯＦＦとなった場合は、ＳＷ１の状態検出待ちへ戻る（２−４）。
【００９０】
最後に図６−１および図６−２に示すプログラム線図について詳細する。図６−２は手振れ防止制御を行わないときに使用するプログラム線図である。Ｅｖ６からＥｖ１１までの被写体輝度では絞りをＦ２．８（Ａｖ３）に固定し、輝度に応じてシャッタースピードを可変させ適正露出を得る。そしてＥｖ１１からＥｖ１４までの被写体輝度ではシャッタースピードをＴ１／２５６（Ｔｖ８）に固定し、輝度に応じて絞りを可変させ適正露出を得る。さらにＥｖ１４からＥｖ１６までの被写体輝度では絞りをＦ８（Ａｖ６）に固定し、輝度に応じてシャッタースピードを可変させ適正露出を得るように設定されている。
【００９１】
一方、図６−１は手振れ防止時に使用するプログラム線図であり、Ｅｖ６からＥｖ１３までの被写体輝度では絞りをＦ２．８（Ａｖ３）に固定し、輝度に応じてシャッタースピードを可変させ適正露出を得る。またＥｖ１３からＥｖ１６までの被写体輝度ではシャッタースピードをＴ１／１０２４（Ｔｖ１０）に固定し、輝度に応じて絞りを可変させ適正露出を得るように設定されている。ここで被写体輝度Ｂｖが９、カメラ感度Ｓｖが５の状態、すなわちＢｖ＋Ｓｖ＝Ｅｖ＝１４の場合を例にとる。
【００９２】
図６−２の手振れ防止制御を行わないときに使用するプログラム線図では、Ｅｖ１４の場合、シャッタースピードをＴ１／２５６（Ｔｖ８）に絞りをＦ８（Ａｖ６）に設定する。
【００９３】
一方、図６−１の手振れ防止時に使用するプログラム線図では、Ｅｖ１４の場合、シャッタースピードをＴ１／１０２４（Ｔｖ１０）に絞りをＦ４（Ａｖ４）に設定する。従ってＥｖ１１よりも被写体が明るければ、手振れ防止制御を行うプログラム線図のほうが４倍速いシャッタースピードを使用することになり、手振れを起こしにくくなる。
【図面の簡単な説明】
【００９４】
【図１】第１の実施例を説明するためのフローチャート
【図２】第２の実施例を説明するためのフローチャート
【図３】従来例を説明するためのフローチャート
【図４】第１の実施例および第２の実施例を説明するためのフローチャート
【図５】第１の実施例および第２の実施例を説明するためのフローチャート
【図６】第１および第２の実施例を説明するためのプログラム線図
【図７】ＣＣＤ信号を説明するための信号波形
【図８】カメラと撮影者の位置関係を説明するための図
【図９】実施例を説明するための撮像装置ブロック図
【図１０】実施例を説明するためのフォーカス制御ブロック図
【符号の説明】
【００９５】
１  ＣＣＤ
２  ＣＤＳ
３  ＡＤ
４  ＤＳＰ
５  ＨＤｒ
６  ＶＤｒ
７  ＴＧ
８  ＣＰＵ
９  レンズ駆動回路
１０  フォーカス用レンズ
１１  レンズ位置検出回路
１２  絞り駆動回路
１３  絞り
１４  レリーズスイッチ
１５  基準信号発生回路
１６  内蔵ストロボ
１７  表示モード切替えスイッチ
１８  ＲＡＭ
１９  ＬＣＤＤｒ
２０  ＬＣＤ
２１  ＥＶＦ
２２  手振れ防止制御スイッチ
【図１】
2007133313.tif 000003
【図２】
2007133313.tif 000004
【図３】
2007133313.tif 000005
【図４】
2007133313.tif 000006
【図５】
2007133313.tif 000007
【図６】
2007133313.tif 000008
【図７】
2007133313.tif 000009
【図８】
2007133313.tif 000010
【図９】
2007133313.tif 000011
【図１０】
2007133313.tif 000012